(57)【要約】【課題】  多目的に使用可能にすることにより経済性及び保管容易性を実現する乳幼児用多目的カーシートを提供する。【解決手段】  乳幼児用カーシート１は、フレームバー固定装置３、上部４、下部５、背もたれ角度調節装置２を有する。このカーシート１は、乳母車フレーム８００やロッキングチェアフレーム１００のフレームバー８０１に着脱自在に取り付けられると共に使用時には、フレームバーロック装置３によりフレームバー８０１に容易、安全且つ確実に固定される。
2005538764.tif 000002
【特許請求の範囲】
【請求項１】
それぞれのフレームに取り付けることにより乳母車及びロッキングチェアとして使用可能な乳幼児用多目的カーシートであって、
利用する乳児及びユーザの便宜のための背もたれ調節装置、安全ガード付き肘掛け高さ調節装置、カーシートを車に着脱するシートベルト用フック及び下部の底のフレームバーに固定するロッキング装置を備えることを特徴とする乳幼児用多目的カーシート。
【請求項２】
分離された上部及び下部を連結するディスク上に前記背もたれ調節装置を有し、上下ディスクに複数の背もたれ角度調節溝を有し、該角度調節溝に調節固定キーを固定し、該固定キーはワイヤにより角度調節スイッチに連結され、該スイッチにより固定キーを操作して背もたれ角度を調節することを特徴とする請求項１に記載の乳幼児用多目的カーシート。
【請求項３】
上下移動可能な肘掛け調節装置を有し、該肘掛け調節装置は高さ調節溝及び案内溝が設けられた肘掛けスライド、下部の側部にスライドガイド、ばねと組み合わされた高さ調節固定キーを有し、前記肘掛けは上下移動可能であることを特徴とする請求項１に記載の乳幼児用多目的カーシート。
【請求項４】
前記上部の後ろ側の底の両側に安全ラッチ及び前記上部の中央部にカー安全ベルト用の１個のフックを有することを特徴とする請求項１に記載の乳幼児用多目的カーシート。
【請求項５】
下部の底にロッキング装置及びフレームバー固定溝（１２、１２’）を有してフレームバーからカーシートを着脱し、前記ロッキング装置は、前記バーがロッキング装置に固定されると後退し、ロッキングスイッチは、前記フレームバーが前記溝に固定されるとばねにより復帰して、前記カーシートの前記フレームバーからの着脱を容易にすることを特徴とする請求項１に記載の乳幼児用多目的カーシート。
【請求項６】
フレームバーのエッジに４個の緩衝ゴムを設け、快適さを向上する乳母車及びロッキングチェアフレームを有することを特徴とする請求項１に記載の乳幼児用多目的カーシート。
【請求項７】
前記カーシートの肘掛けに着脱される安全ガードを有し、そして該安全ガードの緩衝ゴムが両ハンドル間に合体されており、前記安全ガードは固定孔を有し、前記カーシートの肘掛けに挿入され、前記安全ガードのハンドルの端部に挿入突起及び固定キーを有することを特徴とする請求項１に記載の乳幼児用多目的カーシート。
【発明の詳細な説明】
【技術分野】
【０００１】
本発明は、乳幼児用多目的カーシートに関し、特に乳母車のフレームに取り付けられると、乳母車（ベビーカー）として使用可能な乳幼児用シートとなり、ロッキングチェアのフレームに取り付けられると、ロッキングチェアに使用可能な乳幼児用シートとなるシートに関する。
【背景技術】
【０００２】
本発明は、乳母車やロッキングチェアに簡単に着脱でき、安全且つ便利な乳幼児用多目的カーシートに関する。
【０００３】
カーシートの上部及び下部が合体する位置にあるディスクに背もたれ調節装置を取り付けて、乳母車又はロッキングチェアとして使用する際に最も便利な状態に維持する乳幼児用カーシートが発明された。
【０００４】
カーシートの肘掛は、上下移動可能である。背もたれは、折り畳むことができ、乳母車として使用される際には、乳母車のフレームから分離することなく、カーシートを持ち運び及び保管可能である。
【０００５】
乳母車及びロッキングチェアには緩衝ゴムがあるので、これに乗せられた乳児はゆっくりと休むことができる。
【０００６】
上部の後ろ側にはカーシートベルト用の３個の固定フックがあるので、カーシートを便利且つ安全に着脱可能である。
【０００７】
この乳幼児用カーシートは、肘掛に着脱可能な安全具（セーフティガード）が設けられ且つ安全具としての緩衝ゴムは、両ハンドル間に結合されている。
【発明の開示】
【発明が解決しようとする課題】
【０００８】
従来の、乳幼児用カーシートの大部分は、乳幼児用カーシートのみとして使用される。一部、カーシートボディーに車輪を内蔵して乳母車に使用可能なカーシートもあるが、これは車輪に付着した汚れが車内に持ち込まれるという課題を有する。更に、カーシートのボディー（本体）は一体構成に設計且つ製造されているので、その運搬又は保管が容易でない。
【０００９】
本発明は、上記状況に鑑みなされたものであり、斯かる従来技術の課題を解消する、即ち多目的に使用可能であると共に乳児の使用が快適になる乳幼児用多目的カーシートを提供することを目的とする。
【課題を解決するための手段】
【００１０】
本発明の乳幼児用多目的カーシートは、上部及び下部を連結するディスクに３段階の背もたれ調節装置を設け、これを使用する乳児の姿勢を快適にする。そして、肘掛けは上下移動可能であり、且つ背もたれは折り畳み可能であり、乳母車フレームからカーシートを分離することなく持ち運び又は保管可能である。
【００１１】
また、本発明の乳幼児用多目的カーシートは、固定フックを有し、ユーザはカーシートの着脱が可能である。これらのフックは安全装置を備え、安全ベルトがフックから分離するのを阻止し、カーシートを使用する乳児の安全性と利便性を提供する。
【発明の効果】
【００１２】
本発明の乳幼児用多目的カーシートによると、次のような実用上の顕著な効果が得られる。即ち、本発明の乳幼児用多目的カーシートは、乳母車及びロッキングチェアのフレームに取り付けることにより、乳母車及びロッキングチェアとして使用可能であるので、多目的に使用可能である。換言すると、カーシートを３つの目的に使用可能であるので、それぞれ別個に揃える必要がなく経済的であり、不要なスペースを占有することもない。また、フレームバー固定装置により容易且つ安全にフレームバーに着脱可能である。
【発明を実施するための最良の形態】
【００１３】
以下、本発明による乳幼児用多目的カーシートの好適な実施例の構成及び動作を、添付図面を参照して詳細に説明する。
【００１４】
先ず、図１は、乳幼児用カーシートに使用される状態を示す。
図１に示す如く、乳幼児用カーシート１は、上部（アッパーボディー）４、下部（ロアーボディー）５及び背もたれ調節装置２により構成されている。
【００１５】
上部４には、サンバイザ（日除け）７及び後ろ側にカーシートの安全ベルト用の３個のフック１０が設けられている。後ろ側の上には、背もたれ調節スイッチ２０８が設けられている。
【００１６】
下部５には、カーシートベルト用のフック１１が設けられている。肘掛け９は、上下動作でき、カーシートの背もたれは折り畳み可能であり、乳母車への使用時に持ち運び及び保管が容易である。
【００１７】
下部５の底には、フレームバー用溝１２、１２’が設けられ、後述する乳母車又はロッキングチェアフレームのフレームバー８０１に固定でき且つフレームバーロック（又は固定）装置３が取り付けられている。
【００１８】
図２（ａ）は、上部４、下部５及び背もたれ角度調節装置２の連結状態を示す分解斜視図である。
【００１９】
下部５の下側ディスク２０２は、角度調節装置２の溝（孔）２０５を有し、上部４の上側ディスク２０１は、溝２０５’を有し、この溝２０５’内を角度調節固定キー２０４が貫通する。上側ディスク２０１及び下側ディスク２０２は、シャフト（軸）２０３により連結される。
【００２０】
角度調節固定キー２０４は、ケース２０９に取り付けられたばね２０６により角度調節溝２０５、２０５’に固定されている。そして、それはユーザがセットした角度を維持する。角度を変更するには、後ろ側の上部にある角度調節スイッチ２０８を押す。ワイヤ２０７に繋がれた角度調節固定キー２０４は、下部５の角度調節溝２０５から分離される。
【００２１】
ユーザが希望する所望角度にスイッチ２０８を位置させると、固定キー２０４は、ばねの弾力により復帰して角度を固定する。
【００２２】
図２（ｂ）は、合体された上部４、下部５及び角度調節装置２の断面図を示す。図３（ａ）、（ｂ）及び（ｃ）は、背もたれ角度調節装置２のそれぞれ異なる実際の状態を示す斜視図である。図４は、乳母車やロッキングチェアとして使用時のフレームバーロック装置３を示し、（ａ）は組立状態の斜視図であり、（b）は分解斜視図である。
【００２３】
カーシートの着脱時には、ロッキングスイッチ３０１を手で引っ張る。溝３１２内に取り付けられた板ばね３０７は、乳幼児用カーシート１の着脱を助ける。図４（ｂ）は、フレームバーロック装置３の詳細構成を示す分解斜視図である。
【００２４】
図５は、上部４の背面図である。上部４の後ろ側の中央部には、角度調節スイッチ２０８が設けられ、ユーザが片手で背もたれの角度を容易に調節可能にする。
【００２５】
図６（ａ）は、カー安全ベルトのフック１０の斜視図である。上部４の後ろ側の底部両側に２個のカーシート安全ベルト用フック１０を取り付けている。そして、安全ラッチ１０１をピン１０３でばね１０２に連結し、カーシート安全ベルトがフックから分離しないようにすると共にユーザは、それを容易且つ安全に着脱可能である。図６（ｂ）は、カーシート安全ベルトの分解図である。
【００２６】
図７（ａ）、（ｂ）、（ｃ）及び（ｄ）は、肘掛けの分解図である。図７（ｅ）及び（ｆ）は、実際の使用状態における肘掛けの断面図である。
【００２７】
肘掛けスライド９０５には、肘掛け高さ調節溝９０３及び肘掛け案内溝９０２が設けられている。これは肘掛け案内レール９０１に固定でき、上下移動される際に肘掛けスライド９０５から離脱するのを阻止する。内部をこの肘掛けスライド９０５が貫通している下部５の横側において、肘掛け高さ固定キー９０４がばね９０６及びピン９０７に連結されている。
【００２８】
肘掛けの高さ調節時には、図７（ｅ）及び（ｆ）に示す如く、高さ固定キー９４のハンドル（取っ手）を押すことにより、肘掛け高さ調節溝９０３から分離される。ユーザが希望する高さでハンドルを放すと、ばねの力で固定キー９０４により調節溝９０３に固定される。
【００２９】
図８は、カーシートを取り付ける前の乳母車フレーム（枠状部材）８００の斜視図を示す。この乳母車フレーム８００には、フレームバー８０１の両エッジの４箇所に緩衝ゴム８０２が設けられ、そこにカーシートが固定される。これらの緩衝ゴム８０２は、地面からの衝撃を吸収すると共に快適な姿勢を維持する。
【００３０】
図９（ａ）は、乳幼児用カーシート１を乳母車フレーム８００に取り付けることにより乳母車として使用する場合の前向き（乳母車の進行方向）状態の斜視図を示す。一方、図９（ｂ）は、後向き（進行方向と逆方向）状態の乳母車の斜視図を示す。
【００３１】
図１０は、乳幼児用カーシート１をロッキングチェアフレーム１００に取り付けることによりロッキングチェアとして使用する場合の斜視図を示す。
【００３２】
図９（ａ）及び図１０に示す如く、カーシート１のフレームバー８０１の固定溝１２’を垂直方向に押して、後ろ側のフレームバー８０１を固定溝１２に締め付ける。
【００３３】
フレームバー８０１のロック装置３のロッキングスイッチ３０１は、後方へ押され、フレームバー８０１はフレームバー溝３１２内に安全に固定される。そして、ロッキングスイッチ３０１は、ばね３０６により復帰し、これにより乳幼児用カーシート１はフレームバー８０１に安全に固定される。
【００３４】
乳母車フレーム８００には、フレームバー８０１の両エッジ４箇所に緩衝ゴム８０２が設けられており、これにカーシート１が固定される。これらの緩衝ゴム８０２は、地面からの衝撃を吸収すると共に快適な姿勢を維持する。
【００３５】
図１１（ａ）、（ｂ）及び（ｃ）は、安全ガード５０が乳幼児用カーシート１の肘掛け９に挿入される固定孔５０５を示す。また、安全ガード５０のハンドル５０１の端部に挿入突起及び固定キー５０３を有すると共にハンドル間に緩衝ゴム５０２を有する。
【００３６】
以上、本発明による乳幼児用多目的カーシートの好適実施例について詳述した。しかし、斯かる実施例は、本発明の単なる例示に過ぎず、何ら本発明を限定するものではないことに留意されたい。本発明の要旨及び精神を逸脱することなく、特定用途に応じて種々の変形変更が可能であること、当業者には容易に理解できよう。
【産業上の利用可能性】
【００３７】
本発明は乳幼児用多目的カーシートであり、乳母車やロッキングチェアのフレームに取り付けることにより乳母車やロッキングチェアとして使用可能である。カーシートの底側にロッキング装置を有し、各フレームバーに固定可能である。
【００３８】
このカーシートは、安全ラッチ付きフックを有し、カーシートをカー（車）に容易且つ安全に固定でき、乳児の利便性及び安全性を改善する。更に、ユーザは、それぞれカーシート、乳母車及びロッキングチェアを個別に購入する必要がないので、このカーシートは経済的であり、使用後の産業廃棄物の低減が可能である。
【図面の簡単な説明】
【００３９】
【図１】本発明による乳幼児用カーシートの使用状態を示す斜視図を示す。
【図２】図１に示すカーシートの上部、下部及び背もたれ調節装置の結合関係を示し、（ａ）は分解斜視図であり、（ｂ）は断面図である。
【図３】図１に示す乳幼児用カーシートの各種状態の斜視図を示し、（ａ）は上部及び下部を広げた状態、（ｂ）は折り畳んだ状態及び（ｃ）は通常使用状態である。
【図４】本発明の乳幼児用カーシートに使用されるフレームバーロッキング装置の斜視図を示し、（ａ）は乳母車やロッキングチェアに使用される状態であり、（ｂ）は分解斜視図である。
【図５】図１に示す乳幼児用カーシートの上部の背面図である。
【図６】本発明のカーシートに使用されるカー安全ベルトの固定フックであり、（ａ）は全体斜視図であり、（ｂ）は分解斜視図である。
【図７】本発明のカーシートに使用される肘掛けを示し、（ａ）〜（ｄ）は分解図であり、（ｅ）及び（ｆ）は断面図である。
【図８】本発明のカーシートと共に使用される乳母車用フレームの斜視図を示す。
【図９】図８の乳母車用フレームと図１に示すカーシートを組み合わせた乳母車の斜視図を示し、（ａ）は前向き状態であり、（ｂ）は後向き状態である。
【図１０】図１に示すカーシートをロッキングチェアに使用する場合の斜視図を示す。
【図１１】本発明によるカーシート用安全ガードの斜視図を示し、（ａ）はカーシート１への取り付け状態、（ｂ）安全ガード自体及び（ｃ）は安全ガードの分解図である。
【符号の説明】
【００４０】
１  乳幼児用カーシート
２  背もたれ角度調節装置
３  フレームバーロック装置
４  上部
５  下部
７  サンバイザ（日除け）
８  安全ベルト
９  肘掛け
１２  フレームバー（挿入）溝
５０  安全（セーフティ）ガード
１００  ロッキングチェアフレーム
２０１、２０２  ディスク
８００  乳母車フレーム
８０１  フレームバー
８０２  緩衝ゴム
９０１  肘掛け案内レール
９０２  肘掛け案内溝
９０３  肘掛け高さ調節溝
９０４  肘掛け高さ固定キー
９０５  肘掛けスライド
９０６  ばね
９０７  ピン
【図１】
2005538764.tif 000003
【図２】
2005538764.tif 000004
【図３】
2005538764.tif 000005
【図４】
2005538764.tif 000006
【図５】
2005538764.tif 000007
【図６】
2005538764.tif 000008
【図７】
2005538764.tif 000009
【図８】
2005538764.tif 000010
【図９】
2005538764.tif 000011
【図１０】
2005538764.tif 000012
【図１１】
2005538764.tif 000013
【国際調査報告】
2005538764.tif 000014